(57)【要約】【課題】通常の釣りを行いながら釣糸を自動的かつ効果的に励起でき、釣糸の蓄光機能を有しながらも、重量的違和感、糸からみや飛距離減などのトラブルがなく釣りができ、着脱・調整等の手間を省き、実用的な糸用蓄光器を提供することを目的とする。【解決手段】リール内のドラグノブ８のケース１３内に光源の発光ダイオード１４および電池１５とを収納し、更に、電池１５を取り出し可能にする開け閉め可能な蓋１６を組み合わせて構成し、発光ダイオード１４は糸巻き部３に近接させ、糸巻き部３は全体をアクリル樹脂等の透過性の良い透明材料で成形し、糸巻き部３内を伝い糸巻き部３に巻き付けされた蓄光釣糸６に光が照射されるよう構成する。【選択図】図１
2008099582.tif 000002
【特許請求の範囲】
【請求項１】
蓄光剤を励起しやすい波長を含む光源をリールに内蔵し、リールの全体または一部を透明材料で形成し、リールの糸巻き部に巻かれた蓄光釣糸に光を照射することを特徴とする糸用蓄光器。
【請求項２】
リールにおいて、蓄光剤を励起しやすい波長を含む光源を、糸をリールの糸巻き部に案内するガイド部材に内蔵し、前記ガイド部材の一部より放つ光を蓄光釣糸に照射することを特徴とする糸用蓄光器。
【請求項３】
蓄光剤を励起しやすい波長を含む光源と電源を釣竿内に収納し、釣竿内に蓄光釣糸を通し、蓄光釣糸に光を照射する照射部を釣竿内に設けたことを特徴とする糸用蓄光器。
【請求項４】
蓄光剤を励起しやすい波長を含む光源と電源を釣竿内に収納し、釣竿の糸ガイドを略リング状の導光材料にて形成し、前記光源の光を前記糸ガイドに導き入れ、前記糸ガイドを蓄光釣糸に光を照射する照射部としたことを特徴とする糸用蓄光器。
【請求項５】
蓄光釣糸を巻いたリールと釣竿を用いる釣用具において、蓄光剤を励起しやすい波長を含む光源と前記光源から発する光の照射範囲を制限する集光手段、または、光の照射位置または方向を調整する手段を有した発光部を、釣竿またはリールの脚部に設け、リールの糸巻き部を外部から照射する構成としたことを特徴とする糸用蓄光器。
【発明の詳細な説明】
【技術分野】
【０００１】
本発明は、主に魚釣りに使用する蓄光性釣糸に蓄光させる蓄光機能を有した糸用蓄光器に関するものである。
【背景技術】
【０００２】
近年、ポリアミドやフロロカーボンなどの合成樹脂モノフィラメントに蓄光性蛍光顔料などの蓄光剤を含有させてなる蓄光用蛍光釣糸が開発されている。前記、蓄光釣糸を夜間に使用する際には、断続的に蓄光釣り糸に光を照射することで蓄光剤を励起し、周囲が暗い状態で視認可能な自発光状態にする必要がある。
【０００３】
そこで、近年では、釣竿またはリールに取り付けて、リールから放出中および巻き取り中の蓄光釣糸に対し光照射する糸用蓄光器が提案されている。例えば、キセノンランプからなる光源を内蔵した蓄光器本体とスイッチを備えた電源ボックスとを備えてなり、蓄光器本体の内部に蓄光性釣り糸を通過させる構成の蓄光器（特許文献１）や、蓄光剤を励起しやすい波長を含む光源と蓄光釣糸を貫通する中空部とを収納する発光部ケースと、電源を備え、釣竿に取り付けて使用する蓄光器（特許文献２）などが公知となっている。
【特許文献１】特開２００４−２９８０４８
【特許文献２】特開２００６−９４８２０
【発明の開示】
【発明が解決しようとする課題】
【０００４】
従来技術は、蓄光性釣り糸を励起発光させる蓄光器を外部より設けた釣用具である。特許文献１によると、蓄光器本体は、キセノンランプを用いるので、釣り糸を十分に励起するために、蓄光器本体は糸の巻き取り速度に応じて５ｃｍ〜５０ｃｍの長さが必要となる。機器がかなりの大型となり、釣りをするにあたり制限がある。また、特許文献２に示す蓄光器においては、発光部を釣竿の第一ガイドと第二ガイドの間に取り付け、場合によっては、釣竿の軸に沿って電源コードを這わせ、電源部を竿尻付近に取り付けて使用するものである。このような従来技術を用いた場合、以下のような不具合があった。
【０００５】
まず、取付けた蓄光器が突起となり、その突起が、糸が通過する放出領域にあるので、糸がらみ等のトラブルが発生しやすい。特に夜釣りにおいては、昼間より糸がらみ等を解き難いことから、釣果に悪影響を及ぼすことがある。また、釣糸が、取り付けた蓄光器を通過する際に通過抵抗が増大し、疑似餌や仕掛けの飛距離が低下する。また、蓄光器を取り付けたことにより釣用具の重量バランスが著しく変化し、釣用具を持ったり釣竿を振った時に負担が大きいので、釣人の手・腕が疲れやすいこと、および指し餌や疑似餌に動きをつけるための、竿をしゃくる動作を妨げたり、狙った場所にうまく仕掛けを投入することができなくなることがある。また、蓄光器を着脱し道具毎に設置調整する手間がかかり、肝心な釣りの時間を制限するものである。
【０００６】
本発明は、前記、従来の問題点に鑑みてなされたもので、通常の釣りを行いながら釣糸を自動的かつ効果的に励起でき、蓄光機能を有しながらも、重量的違和感、糸からみや飛距離減などのトラブルがなく釣りができ、着脱・調整等の手間を省き、実用的な糸用蓄光器を提供することを目的とする。
【課題を解決するための手段】
【０００７】
前記目的を達成するために、請求項１に係る発明の糸用蓄光器は、蓄光剤を励起しやすい波長を含む光源をリールに内蔵し、リールの全体または一部を透明材料で形成し、リールの糸巻き部に巻かれた蓄光釣糸に光を照射することを特徴としている。
【０００８】
請求項２に係る発明の糸用蓄光器は、リールにおいて、蓄光剤を励起しやすい波長を含む光源を、糸をリールの糸巻き部に案内するガイド部材に内蔵し、前記ガイド部材の一部より放つ光を蓄光釣糸に照射することを特徴としている。
【０００９】
請求項３に係る発明の糸用蓄光器は、蓄光剤を励起しやすい波長を含む光源と電源を釣竿内に収納し、釣竿内の蓄光釣糸を通し、蓄光釣糸に光を照射する照射部を釣竿内に設けたことを特徴としている。
【００１０】
請求項４に係る発明の糸用蓄光器は、蓄光剤を励起しやすい波長を含む光源と電源を釣竿内に収納し、釣竿の糸ガイドを略リング状の導光材料にて形成し、前記光源の光を前記糸ガイドに導き入れ、前記糸ガイドを蓄光釣糸に光を照射する照射部としたことを特徴としている。
【００１１】
請求項５に係る発明の糸用蓄光器は、蓄光釣糸を巻いたリールと釣竿を用いる釣用具において、蓄光剤を励起しやすい波長を含む光源と前記光源から発する光の照射範囲を制限する集光手段、または、光の照射位置または方向を調整する手段を有した発光部を、釣竿またはリールの脚部に設け、リールの糸巻き部を外部から照射する構成としたことを特徴としている。
【発明の効果】
【００１２】
請求項１の発明によれば、光源をリールに内蔵し、リールの全体または一部を透明材料で形成し、リールの糸巻き部に巻かれた蓄光釣糸に光を照射している。この構成にし、リール内部で蓄光釣糸に光を照射すると、リール外部及び周辺においては、蓄光機能を付加したことに起因する外部突起が無くなり、釣り中に不快な糸絡みが生じることが無い。また、糸巻き部に巻かれた糸に光を照射しているだけなので、糸の放出、巻き取りにおいて、釣糸に新たな通過抵抗を生じることがなく、本来の釣具の持つ性能、すなわち疑似餌、仕掛けの飛距離に影響が出ない。また、光源や配線、電源をリールに内蔵し、蓄光機能を付加したことにより、蓄光機能を有しない通常の釣用具に比べ重量増加は有るが、リールは竿の持ち手付近に位置しているので釣用具を持った時に感じる重量負担は最小限に止めることができる。
【００１３】
請求項２の発明によれば、リールにおいて、蓄光剤を励起しやすい波長を含む光源を、糸をリールの糸巻き部に案内するガイド部材に内蔵し、前記ガイド部材の一部より放つ光を蓄光釣糸に照射することを特徴としている。この構成にし、リールを構成する一部分であるガイド部材によって蓄光釣糸に光を照射すると、リール外部及び周辺においては、蓄光機能を付加した事に起因する外部突起が無くなり、釣り中に不快な糸絡みが生じることが無い。また、リールに最初から備えられているガイド部材にて光を照射するので、糸の放出、巻き取りにおいて、釣糸に新たな通過抵抗を生じることがなく、本来の釣具の持つ性能、すなわち疑似餌、仕掛けの飛距離に影響が出ない。また、光源や配線、電源をリールに内蔵し、蓄光機能を付加したことにより、蓄光機能を有しない通常の釣用具に比べ重量増加は有るが、リールは竿の持ち手付近に位置しているので釣用具を持った時に感じる重量負担は最小限に止めることができる。
【００１４】
請求項３の発明によれば、蓄光剤を励起しやすい波長を含む光源と電源を釣竿内に収納し、釣竿内に蓄光釣糸を通し、蓄光釣糸に光を照射する照射部を釣竿内に設けている。この構成の蓄光用釣具は釣糸を釣竿内に通した、いわゆる「中通し竿」である。蓄光釣糸に 光を照射する照射部を釣竿内に設けているので、蓄光機能を付加した事に起因する外部突起が無くなり、釣り中に不快な糸絡みが生じることが無い。また、中通し竿の釣竿内に釣糸を通す構造を利用して光を照射しているだけなので、糸の放出、巻き取りにおいて、釣糸に新たな通過抵抗を生じることがなく、本来の釣具の持つ性能、すなわち疑似餌、仕掛けの飛距離を落とさない。
【００１５】
請求項４の発明によれば、蓄光剤を励起しやすい波長を含む光源と電源を釣竿内に収納し、釣竿の糸ガイドを略リング状の導光材料にて形成し、前記光源の光を前記糸ガイドに導き入れ、前記糸ガイドを蓄光釣糸に光を照射する照射部としたことを特徴としている。一般に、釣竿に備えられている糸ガイドは、その数が多いほど釣糸の接触摩擦が増すので、疑似餌や仕掛けの飛距離が落ちるが、この構成によると釣竿に元々ある糸ガイドと釣糸に光を照射する光照射部を兼ねて設置するため、糸ガイドの数を増やすことが無い。このため、蓄光機能を付加したことに起因する糸の通過抵抗の増大が無く、疑似餌や仕掛けの飛距離減が起こらない。また、元々備えられている糸ガイドが光照射部を兼ねるだけなので、糸ガイドは通常に糸を導く機能を果たし、不快な糸絡みは発生しない。
【００１６】
請求項５の発明によれば、蓄光釣糸を巻いたリールと釣竿を用いる釣用具において、蓄光剤を励起しやすい波長を含む光源と前記光源から発する光の照射範囲を制限する集光手段、または、光の照射位置または方向を調整する手段を有した発光部を、釣竿またはリールの脚部に設け、リールの糸巻き部を外部から照射する構成としたことを特徴としている。
【００１７】
この構成は、釣糸を巻いた糸巻き部をリール外部から照射するものである。釣竿またはリールの脚部より発光させると、糸の接触が懸念される放出領域に発光部突起を近づけることなく光を照射することができるため、蓄光機能を付加しながらも糸の通過抵抗の増大が無く、疑似餌や仕掛けの飛距離減・不快な糸からみが起こらない。光の照射範囲を制限する集光手段を備えているので、糸巻き部分に集中して光を照射でき、効率よく蓄光することができる。また、糸の照射範囲を調整する手段も備えており、糸巻き部分以外には光を散らさないので、釣り人にとって眩しくなく、周囲に光を散らさないので魚に違和感を与えることも無い。また、蓄光機能を付加したことにより、蓄光機能を有しない通常の釣用具に比べて重量増加は有るが、付加重量は釣用具の持ち手付近に位置しているので釣用具を持った時に感じる重量負担は最小限に止めることができる。
【発明を実施するための最良の形態】
【００１８】
以下、本発明の実施の形態を、図面を参照しながら説明する。
【００１９】
図１は、蓄光剤を励起しやすい波長を含む光源をリールに内蔵し、リールの一部を透明材料で形成し、リールの糸巻き部に巻かれた蓄光釣糸に光を照射する構成の実施形態を示すもので、一般的な形状のスピニングリールに蓄光機能を付加したものである。
【００２０】
スピニングリールは、スピニングリール本体部１より突出したメインシャフト２に糸巻き部３が装着され、スピニングリール本体部１に備えられたハンドル４を回すことにより、回転枠５が糸巻き部３周囲を回転し、回転枠５によって導かれた釣糸６が９０度方向を変えて糸巻き部３に巻かれるリールである。メインシャフト２がハンドル４の回転に同期して軸心方向に往復運動することで、糸巻き部３が往復運動し、回転枠５より導かれる釣糸６が糸巻き部３上に均一に振り分けられる。糸巻き部３は、メインシャフト２の中ほどに固定設置された受け座金７により位置決めされ、メインシャフト２先端と螺合されるドラグノブ８により、ドラグワッシャ９を介して締め付けられ固定される。本実施例では、ドラグノブ８内に光源及び電源を内蔵した。ドラグノブ８は、ドラグワッシャ９と接する押さえ具１０と、メインシャフト２と螺合されるナット１１と、押さえ具１０とナット１１間に位置し糸巻きを押さえ付ける力を発生するドラグバネ １２とをケース１３内に収納してなるものである。蓄光機能を付加するため、そのケース１３内に光源の発光ダイオード１４および電池１５とを収納し、更に、電池１５を取り出し可能にする開け閉め可能な蓋１６を組み合わせて構成している。電池収納部に配置されたプラス接触片１７とマイナス接触片１８により電池１５から給電され、発光ダイオード１４を発光させる。発光ダイオード１４は、指向角の狭い砲弾型の発光ダイオードが望ましく、糸巻き部３に近接させ、照射方向を糸巻き部３に向け設置する。電池１５はドラグノブ８の外形が出来る限り外部に突出しないよう、薄型のコイン型電池を使用するのが望ましい。発光ダイオード１４は紫外線発光ダイオードを使用し、点灯電圧を確保するため、コイン型電池１５を２枚重ねて直列接続している。発光ダイオード１４の前面は、糸巻き部３方向に光が抜けるようケース１３に穴１９が開けられている。この穴１９は透明材料を嵌め込み代替しても良い。糸巻き部３は全体をアクリル樹脂等の透過性の良い透明材料で成形し、糸巻き部３における糸溜まり部の反対面の全面に反射鏡２０を設置する。この構成により、ドラグノブ８と近接する面から入射した光は、透明である糸巻き部３内を伝い蓄光釣糸６に光が照射される。糸溜まり部の反対面の反射鏡２０により、光漏れを最小限にし、蓄光釣糸６に効率良く光を照射することができる。なお、光源の発光ダイオード１４を複数個使用すれば、より明るく光ると共に照射ムラをなくすことが可能である。
【００２１】
このような一般的なスピニングリールにおいては、使用中に糸巻き部３とドラグノブ８は常に互いに近接した状態を保つため、光源の光を糸巻き部３上の釣糸６に照射し続けることができる。長時間光を照射することで、蓄光釣糸６には十分な光エネルギーが蓄えられ、常に明るい状態で使用することができる。ドラグノブ８内に光源の発光ダイオード１４と電池１５を内蔵するが、釣竿の持ち手付近に位置するリールの重量増加のため、釣り人は殆ど重量バランスの変化を感じず、快適に釣りを楽しむことができる。また、リール外部への突起はドラグノブ８前面に膨らみが付く程度であるため、糸がらみも無く、疑似餌・仕掛けの飛距離も損なわれない。
【００２２】
図２は、図１の蓄光機能を付加したスピニングリールの、ドラグノブ８と糸巻き部３の分離状態を示した図である。このように、ドラグノブ８と糸巻き部３は、スピニングリール本体部１より簡単に分離可能で、ユーザーの手によっても簡単に交換が可能である。糸巻き部３とドラグノブ８を交換すれば、通常のリールに蓄光機能を付加することができるので、スピニングリール本体部１をそのまま生かしながら容易に蓄光機能付きリールを提供することができる。既に市販されているリールに適合するよう透明材料の糸巻きと光源を内蔵したドラグノブを設計すれば、ユーザーが、自身が既に所有するリールの一部のみを交換するだけで蓄光機能付きリールに変化させることができる。また、通常のリールにも簡単に戻すことができるのである。このように、手軽に使用できる蓄光機能付きリールを安価に提供することができるものである。なお、図示はしないが、スピニングリール本体部１のメインシャフト２近傍に光源の発光ダイオード１４と電池１５を収納し、糸巻き部３に向け光を照射する構成としてもよい。
【００２３】
図３は、図１の実施形態と同じく、蓄光剤を励起しやすい波長を含む光源をリールに内蔵し、リールの一部を透明材料で形成し、リールの糸巻き部に巻かれた蓄光釣糸に光を照射する構成の他の実施形態を示すもので、一般的な形状の両軸リールに蓄光機能を付加したものである。
【００２４】
両軸リールは、回転軸２２を有した糸巻き部２３が、回転軸２２両端を両軸リール本体部２１に軸受けされ、両軸リール本体部２１に備えられたハンドル２４を回すことにより、糸巻き部２３自体が回転し釣糸６を巻き取るリールである。また、釣糸６の放出時は糸巻き部２３が逆回転する。蓄光機能を付加するため、両軸リール本体部２１内に光源の発光ダイオード１４および電池２５とを収納している。電池収納部に配置されたプラス接触片２６とマイナス接触片２７により電池２５から給電され、発光ダイオード１４を発光させる。発光ダイオード１４は、指向角の狭い砲弾型の発光ダイオードが望ましく、糸巻き部２３側面に近接させ照射方向を糸巻き部２３に向け設置する。発光ダイオード１４は紫外線発光ダイオードを使用する 。電池２５は小型軽量のものが望ましく、本実施例では一例として円筒形のカメラ用リチウム電池を使用している。糸巻き部２３は全体をアクリル樹脂等の透過性の良い透明材料で成形し、糸巻き部２３における糸溜まり部の反対面の全面に反射鏡２０を設置する。この構成により、糸巻き部２３側面より入射した光は、透明である糸巻き部２３内を伝い釣糸６に光が照射される。糸溜まり部の反対面の反射鏡２０により蓄光釣糸６に効率良く光を照射することができる。なお、糸巻き部２３は、釣糸６の巻き取り・放出に伴い回転するので、均等に釣糸６に照射できる。この両軸リールの使用中は、糸巻き部２３と、両軸リール本体部２１内に設置された発光ダイオード１４は常に近接した状態を保つため、光源の光を糸巻き部２３上の釣糸６に照射し続けることができる。長時間光を照射することで、蓄光釣糸６には十分な光エネルギーが蓄えられ、常に明るい状態で使用することができる。発光ダイオード１４と電池２５を内蔵するが、釣竿の持ち手付近の重量増加のため、釣り人は殆ど重量バランスの変化を感じず、快適に釣りを楽しむことができる。また、リール外部への突起は両軸リール本体部２１側面に膨らみが付く程度であるため、糸がらみも無く、疑似餌・仕掛けの飛距離も損なわれない。
【００２５】
図４は、リールにおいて蓄光剤を励起しやすい波長を含む光源を、糸をリールの糸巻き部に案内するガイド部材に内蔵し、前記ガイド部材の一部より放つ光を蓄光釣糸に照射する構成の実施形態を示すもので、一般的な形状のスピニングリールに蓄光機能を付加したものである。
【００２６】
スピニングリールは、図１の実施形態で述べた通り、スピニングリール本体部１に備えられたハンドル４を回すことにより、釣糸６をリール内に導き入れるガイド部材である回転枠５が糸巻き部３周囲を回転し、回転枠５によって導かれた釣糸６が糸巻き部３に巻かれるリールである。ハンドル４の回転に同期して糸巻き部３が往復運動し、回転枠５より導かれる釣糸６が糸巻き部３上に均一に振り分けられる。
【００２７】
本実施例では、釣糸６をリール内に導き入れるガイド部材である回転枠５内に、光源及び電源を内蔵したものである。通常、回転枠５には、釣糸６の通過するラインローラー２８とそのラインローラー２８に釣糸６を導き入れるための円弧状のベイル２９が備えられ、それらを糸巻き部３上に構成するためアームが台座部分より２本突出している。先端にラインローラー２８の付いたアームＡ３０とその１８０度反対側にアームＢ３１が設けられている。本実施例では、この２つのアームより９０度隔てた中間位置に、蓄光機能を付加するための光照射アーム３２を設けている。光照射アーム３２はベイル２９の円弧が及ぶ側に突出させると糸絡みの原因になるため、その反対側に突出させる。なお、光照射アーム３２を付加すると回転枠５の重量バランスが崩れ、リールのハンドルを回した時に振動が発生しやすい。このため、必要に応じ光照射アームの１８０度反対側に適当なバランサーオモリ３３を設置する必要がある。
【００２８】
光照射アーム３２は、光源の発光ダイオード３４及びプリント基板３５、電池１５を内蔵する。電池収納部に設けられたプラス接触片３６とマイナス接触片３７により電池１５から給電され、各接触片はプリント基板３５に接続され、プリント基板３５上に実装された発光ダイオード３４を点灯させる。光照射アーム３２は、先端を糸巻き部３上まで伸ばし、先端を透明カバー３８で形成している。発光ダイオード３４は、透明カバー３８部に位置し糸巻き部３方向に向け光を発する。
【００２９】
本実施例では発光ダイオード３４は、省スペース化のためチップ型の紫外線発光ダイオードを使用している。電池１５も同じく省スペースと軽量化のため、コイン型電池を使用している。
【００３０】
スピニングリール本体部１のハンドル４を回転されると、糸巻き部３に向けて発光する回転枠５が糸 巻き部３の周囲を回転し、同時に糸巻き部３が往復運動を繰り返すので、回転枠５から発せられた光は、糸巻き部３上の全域を満遍無く、しかも断続的に繰り返し照射することになり、蓄光釣糸６を常に明るい状態で使用できるものである。
【００３１】
回転枠５へ光源および電池を収納するが、釣竿の持ち手付近の重量増加のため、釣り人は殆ど重量バランスの変化を感じず、快適に釣りを楽しむことができる。また、回転枠５に光照射アーム３２などの追加はあるが糸の放出範囲への突起は無いため糸がらみも無く、疑似餌・仕掛けの飛距離も損なわれない。
【００３２】
図５は、リールにおいて蓄光剤を励起しやすい波長を含む光源を、糸をリールの糸巻き部に案内するガイド部材に内蔵し、前記ガイド部材の一部より放つ光を蓄光釣糸に照射する構成の他の実施形態を示すもので、一般的な形状の両軸リールに蓄光機能を付加したものである。
【００３３】
両軸リールは、回転軸２２を有した糸巻き部２３が、回転軸２２両端を両軸リール本体部２１に軸受けされ、両軸リール本体部２１に備えられたハンドル２４を回すことにより、糸巻き部２３自体が回転し釣糸６を巻き取るリールである。糸巻き部２３前面には、釣糸６をリール内に導き入れるガイド部材のレベルワインダ３９が設置され、釣糸６を通した糸通し筒４０がハンドルの回転に応じてレベルワインダ軸４１上を左右に往復し、釣糸６が糸巻き部２３上に均等に振り分けられる。本実施例では、このレベルワインダ３９より発光させ釣糸６に光を照射するようにした。蓄光機能を付加するため、レベルワインダ３９内に光源の発光ダイオード３４及びプリント基板４２を内蔵し、レベルワインダ３９の糸通し筒４０を透明樹脂で形成し、発光ダイオード３４の光を糸通し筒４０内に向けて照射するよう設置する。両軸リール本体部２１内に電池２５を収納し、電池収納部に配置されたプラス接触片２６とマイナス接触片２７により給電し、コード４３を介してレベルワインダ３９内のプリント基板４２に接続し、発光ダイオード３４を発光させる。コード４３は、レベルワインダ３９の左右移動に応じ長さの余裕を持たせ、柔軟な素材のものを用いる。発光ダイオード３４は、省スペースのため、チップ型の紫外線発光ダイオードが望ましい。
【００３４】
釣糸６は、巻き取り・放出時に必ずレベルワインダ３９を通過するため、通過する際に光を照射され、釣りを行っている間は断続的に蓄光され明るい状態を保つことができる。
【００３５】
発光ダイオード３４と電池２５を内蔵するが、釣竿の持ち手付近の重量増加のため、釣り人は殆ど重量バランスの変化を感じず、快適に釣りを楽しむことができる。また、リール外部への突起はコード４３のみであるが、図５のように糸の放出領域に出っ張らないよう配線すれば糸がらみも無く、最初からリールに備えられているレベルワインダ３９を利用して光照射部を兼ねているので、新たに釣糸６の通過抵抗は増すことがなく、疑似餌・仕掛けの飛距離も損なわれない。
【００３６】
図６は、蓄光剤を励起しやすい波長を含む光源と電源を釣竿内に収納し、釣竿内に蓄光釣糸を通し、蓄光釣糸に光を照射する照射部を釣竿内に設けた糸用蓄光器の実施形態を示すものである。
【００３７】
本実施形態は、一般的な「中通し竿」の構造を利用して容易に実施できる例である。一般的な中通し竿では、釣竿第一節４４の先端付近に入口ガイド４５が設置され、入口ガイド４５直下に開けられた穴４６より、リールから放出した釣糸６を釣竿内に導き入れている。更に釣竿内で、竿内糸ガイド４７を通じて、第二節４８、第三節４９、第四節５０、先端節５１へと釣糸６が挿通される。本実施例では、蓄光機能の付加のため、釣竿第一節４４に光源及び電源を内蔵した。外装筒５２両端に発光部ユニット５３と電源部５４を 嵌合した竿尻節５５を形成し、竿尻節５５を第一節４４に嵌合固定する。発光部ユニット５３は、光源の発光ダイオード１４とプリント基板５６を収納する発光部ケース５７とアクリル樹脂等の透明材料で形成されたレンズ５８からなる。電源部５４は電池２５及びプラス接触片５９、マイナス接触片６０を収納する電池ケース６１と、ネジ嵌合により着脱自在な電池蓋６２からなる。発光部ユニット５３と電源部５４はコード６３を介して接続され、電池２５から給電して発光ダイオード１４を発光させる。
【００３８】
発光ダイオード１４より発せられた光は、透明のレンズ５８を通過し前方の釣糸６に向けて照射される。光照射される第一節４４の内部空間の壁面および竿内糸ガイド４７の糸通し穴周囲面には反射鏡２０を設けている。反射鏡２０による反射光が第一節４４内に広がり、釣糸６が複数回にわたり光を照射されることになるため、より明るく蓄光することができる。
【００３９】
釣糸６は、巻き取り・放出時に釣竿内を通過する際に光を照射され、釣りを行っている間は断続的に蓄光され明るい状態を保つことができる。発光ダイオード１４と電池２５を内蔵するが、釣竿の持ち手付近の重量増加のため、釣り人は殆ど重量の増加を感じず、快適に釣りを楽しむことができる。また、リール外部への突起は無いため糸がらみも無く、既存の中通し竿の構造を使用して光照射を兼ねるので、新たに釣糸６の通過抵抗は増すことがなく、疑似餌・仕掛けの飛距離も損なわれない  図７は、図６の実施形態において、コード６３を使用せず、発光部ユニット５３と電源部５４を一体化させた電池一体発光部ユニット６４を、第一節４４と竿尻節５５の分割部より取り出し可能な構成としたものである。この場合、ユーザーが複数の竿で一つの電池一体発光部ユニット６４を共用できることや、長いコード６３を使用しないので、材料費、組立て工数も少なく済むなどの利点がある。
【００４０】
図８は、蓄光剤を励起しやすい波長を含む光源と電源を釣竿内に収納し、釣竿の糸ガイドを略リング状の導光材料にて形成し、前記光源の光を前記糸ガイドに導き入れ、前記糸ガイドを蓄光釣糸に光を照射する照射部とした糸用蓄光器の実施形態を示すものである。
【００４１】
糸ガイド６５はアクリル樹脂等の透過性のある材料にて脚の突出したリング形状に形成され、突出した脚部を釣竿６６内に差し込んでいる。糸ガイド６５は、２つの保持片６７と共に竿保持帯６８により釣竿６６に巻きつけ固定され、釣竿６６に対し直立に保持される。釣竿６６内に光源の紫外線発光ダイオード１４を内蔵し、発光ダイオード１４の砲弾型のレンズ部分を前記糸ガイド６５の脚部に形成された凹穴６９に嵌め込んだ構造である。発光ダイオード１４から発せられた光は、糸ガイド６５の内部を伝わるが、外周面が反射膜７１で覆われているので、光は糸ガイド６５の内側に向けて照射される。発光ダイオード１４の端子にはコード７０を接続し、釣竿６６内に内蔵された電源部より給電して発光させる。電源部の内蔵方法は、図６において示したように竿尻に電池ケースと電池蓋からなる電源部５４を配置する方法等に準ずるものとし、図示は省略する。
【００４２】
釣糸６は、巻き取り・放出時に糸ガイド６５を通過する際に光を照射され、釣りを行っている間は断続的に蓄光され明るい状態を保つことができる。釣竿６６や糸ガイド６５の外部には突起が無く、既存の糸ガイド構造を使用し光照射を兼ねるので、新たに釣糸６の通過抵抗は増すことがなく、疑似餌・仕掛けの飛距離も損なわれない。
【００４３】
図９は、図８の実施形態において、糸ガイド６５を複数発光させた例である。釣竿６６内に光ファイバー７２を配して、糸ガイド６５の脚部に形成された凹穴６９に光ファイバー７２の一端を差し込んでいる。複数の光ファイバー７２の、糸ガイド６５側と反対の一方端を一つにまとめ、発光ダイオード１４の光を入射させる受光部７３を形成する。この構成 によると、一つの光源のみで複数の糸ガイド６５を光らせることが可能になり、より明るく蓄光することができるものである。
【００４４】
図１０は、蓄光釣糸６を巻いたリールと釣竿を用いる釣用具において、蓄光剤を励起しやすい波長を含む光源と前記光源から発する光の照射範囲を制限する集光手段、または、光の照射位置または方向を調整する手段を有した発光部を、釣竿またはリールの脚部に設け、リールの糸巻き部を外部から照射する構成とした糸用蓄光器の実施形態を示すもので、一般的なスピニングリール及びスピニングリール用竿に蓄光機能を付加したものである。
【００４５】
本実施例では、蓄光機能の付加のため、釣竿に光源及び電源を内蔵した。釣竿のリール取り付け部７４より少し前方のグリップ部７５の一角に発光部ユニット７６を配置し、竿尻に電源部５４を配置した。発光部ユニット７６は、光源の発光ダイオード３４とプリント基板７７を収納する発光部ケース７８と集光レンズ７９からなり、発光部ケース７８の一方の角をグリップ部７５との接続部とし、光照射方向を変化させる回転支点８０を有している。電源部５４は、図６で説明した通り、電池２５及びプラス接触片５９、マイナス接触片６０を収納する電池ケース６１と、ネジ嵌合により着脱自在な電池蓋６２からなり、竿尻に嵌め込み固定されている。発光部ユニット７６と電源部５４はコード８１を介して接続され、電池２５から給電して発光部ケース７８内の発光ダイオード３４を発光させる。発光ダイオード３４より発せられた光は、集光レンズ７９により照射範囲を制限され、リールの糸巻き部３上のみを局所的に照射する。また、リールの大きさにより、糸巻き部３の位置は変わってくるため、発光部ケース７８を、回転支点８０を軸に任意の方向に傾けることで糸巻き部３の位置が変わっても簡単に照射位置を調整することができる。このような構成により、不必要な光の分散が無くなるため、魚に違和感を与えることもなく、周囲の釣り人にも迷惑がかからない。
【００４６】
また、光源の光を糸巻き部３の釣糸６に照射し続けることができる。長時間光を照射することで、蓄光釣糸６には十分な光エネルギーが蓄えられ、常に明るい状態で使用することができる。発光ダイオード３４や電池２５を内蔵するが、釣竿の持ち手付近の重量増加のため、釣り人は殆ど重量バランスの変化を感じず、快適に釣りを楽しむことができる。また、釣道具外部への突起は殆ど無いため、糸がらみも無く、疑似餌・仕掛けの飛距離も損なわれない。なお、発光部ユニット７６から出る光に、蓄光顔料入りの疑似餌などを近づけて蓄光することもできる便利な一面も持ち合わせている。
【００４７】
図１１は、蓄光釣糸を巻いたリールと釣竿を用いる釣用具において、蓄光剤を励起しやすい波長を含む光源と前記光源から発する光の照射範囲を制限する集光手段、または、光の照射位置または方向を調整する手段を有した発光部を、釣竿またはリールの脚部に設け、リールの糸巻き部を外部から照射する構成とした糸用蓄光器の他の実施形態を示すもので、一般的な両軸リール及び両軸リール用竿に蓄光機能を付加したものである。
【００４８】
釣竿のリール取り付け台座８２内に光源の発光ダイオード３４を実装したプリント基板８３を、竿の軸方向にスライド可能に配置し、竿尻には、図１０の実施形態と同様に、電源部５４を嵌め込み固定し、前記プリント基板８３と電源部５４は釣竿内に配した配線板８４を介して接続し、電池２５から給電して発光ダイオード３４を発光させる。発光ダイオード３４より発せられた光は、両軸リールの裏側より糸巻き部２３上の釣糸６を照射する。前記プリント基板８３は、図１１上に示すようにプリント基板８３ａからプリント基板８３ｂの範囲に可動で、取り付けるリールの大きさにより糸巻き２３の位置がずれても柔軟に照射位置の調整ができる。このような構成により、確実に釣糸６に光を照射できると共に不必要な光の分散が無くなるため、魚に違和感を与えることもなく、周囲の釣り人にも迷惑がかからない。糸巻き部２３は釣糸６の巻取り・放出により断続的に回転するため、糸巻き部２３の全周を満遍無く繰り返し照射することになり、蓄光釣糸６を常に明るい状態で使用できるも のである。発光ダイオード３４や電池２５を内蔵するが、釣竿の持ち手付近の重量増加のため、釣り人は殆ど重量バランスの変化を感じず、快適に釣りを楽しむことができる。また、釣道具外部への突起は無いため、糸がらみも無く、疑似餌・仕掛けの飛距離も損なわれない。
【００４９】
図１２は、蓄光釣糸を巻いたリールと釣竿を用いる釣用具において、蓄光剤を励起しやすい波長を含む光源と前記光源から発する光の照射範囲を制限する集光手段、または、光の照射位置または方向を調整する手段を有した発光部を、釣竿またはリールの脚部に設け、リールの糸巻き部を外部から照射する構成とした糸用蓄光器の他の実施形態を示すもので、一般的なスピニングリールの脚部に発光部を設け、蓄光機能を付加したものである。
【００５０】
本実施例では、蓄光機能の付加のため、スピニングリールの脚部８５に、光源及び電源を内蔵した電源一体発光部ユニット８６を設置した。電源一体発光部ユニット８６は、光源の発光ダイオード３４を実装したプリント基板７７と電池１５とを収納する発光部ケース８７と集光機能を持ったレンズ７９で構成されている。リールの脚部８５に着脱自在に固定された取付アーム８８と電源一体発光部ユニット８６の一方の角を、光照射方向を変化させる回転支点８０を有して接続している。電源一体発光部ユニット８６の電池収納部にプラス接触片８９、マイナス接触片９０を有し、それぞれプリント基板７７上に配線され、電池１５より給電され発光ダイオード３４が点灯する。発光ダイオード３４より発せられた光はレンズ７９により照射範囲を制限され、リールの糸巻き部３上のみを局所的に照射する。また、リールの大きさにより、糸巻き部３の位置は変わってくるため、発光部ケース８７を、回転支点８０を軸に任意の方向に傾けることで、糸巻き部３の位置が変わっても簡単に照射位置を調整することができる。このような構成により、不必要な光の分散が無くなるため、魚に違和感を与えることもなく、周囲の釣り人にも迷惑がかからない。また、光源の光を糸巻き部３の釣糸６に照射し続けることができる。長時間光を照射することで、蓄光釣糸６には十分な光エネルギーが蓄えられ、常に明るい状態で使用することができる。発光ダイオード３４や電池１５を内蔵するが、釣竿の持ち手付近の重量増加のため、釣り人は殆ど重量バランスの変化を感じず、快適に釣りを楽しむことができる。また、釣糸６の放出領域（２点鎖線部）に係らない位置から照射を行うため、糸がらみも無く、疑似餌・仕掛けの飛距離も損なわれない。なお、図示しないが、図１２でリールの脚部８５に設置している電源一体発光部ユニット８６を釣竿のグリップ部７５など、他の箇所に設置できる構成にしても同等の効果が得られることは言うまでもない。
【産業上の利用可能性】
【００５１】
この発明に係る糸用蓄光器は、自動的な糸蓄光機能を有しながらも、糸蓄光機能の付加に起因する糸絡みや重量バランスの崩れを無くし、通常の釣用具と同等に違和感なく釣りができ、かつ、着脱・調整等の手間を省くなど、実用的な効果が確実に得られる。
【図面の簡単な説明】
【００５２】
【図１】本発明の請求項１に係る第１実施形態を表す図で、蓄光機能を付加したスピニングリール示す側面断面図
【図２】図１と同じスピニングリールで、ドラグノブおよび糸巻き部の分離状態を示す側面断面図
【図３】本発明の請求項１に係る第２実施形態を表し、蓄光機能を付加した両軸リール示すもので、（ａ）は正面図、（ｂ）は上面図、（ｃ）は側面図
【図４】本発明の請求項２に係る第１実施形態を表し、蓄光機能を付加したスピニングリール示すもので、（ａ）は側面図、（ｂ）は（ａ）を反転させ背面から見た側面図、（ｃ）は上面図、（ｄ）は下面図
【図５】本発明の請求項２に係る第２実施形態を表し、蓄光機能を付加した両軸リール示すもので、（ａ）は正面図、（ｂ）は上面図、（ｃ）は側面図
【図６】本発明の請求項３に係る第１実施形態を表し、蓄光機能を付加した釣竿を示すも ので、（ａ）は側面断面図、（ｂ）は上面図
【図７】本発明の請求項３に係る第２実施形態を表し、蓄光機能を付加した釣竿を示すもので、（ａ）は側面断面図、（ｂ）は上面図
【図８】本発明の請求項４に係る第１実施形態を表すもので、蓄光機能を付加した釣竿の糸ガイド部を示し、一部を断面した斜視図
【図９】本発明の請求項４に係る第２実施形態を表すもので、蓄光機能を付加した釣竿の糸ガイド部を示し一部を断面した斜視図
【図１０】本発明の請求項５に係る第１実施形態を表すもので、蓄光機能を付加した釣竿とスピニングリールを組み合わせ、一部を断面した釣用具全体図
【図１１】本発明の請求項５に係る第２実施形態を表すもので、蓄光機能を付加した釣竿と両軸リールを組み合わせ、一部を断面した釣用具全体図
【図１２】本発明の請求項５に係る第３実施形態を表すもので、蓄光機能を付加したスピニングリールと釣竿を組み合わせ、一部を断面した釣用具全体図
【符号の説明】
【００５３】
１：スピニングリール本体部
３、２３：糸巻き部
４：ハンドル
５：回転枠
６：釣糸（蓄光釣糸）
８：ドラグノブ
１４：発光ダイオード（砲弾型）
１５：電池（コイン型電池）
２１：両軸リール本体部
２５：電池（円筒形電池）
３２：光照射アーム
３４：発光ダイオード（チップ型）
３９：レベルワインダ
５３：発光部ユニット（釣竿内）
５４：電源部
５５：竿尻節
６４：電源一体発光部ユニット（釣竿内）
６５：糸ガイド
６６：釣竿
７２：光ファイバー
７３：受光部
７６：発光部ユニット（釣道具外部からの照射手段）
７９：集光レンズ（集光手段）
８０：回転支点（照射方向の調整手段）
８５：リールの脚部
８６：電源一体発光部ユニット（釣用具外部からの照射手段）
８８：取付アーム 
【図１】
2008099582.tif 000003
【図２】
2008099582.tif 000004
【図３】
2008099582.tif 000005
【図４】
2008099582.tif 000006
【図５】
2008099582.tif 000007
【図６】
2008099582.tif 000008
【図７】
2008099582.tif 000009
【図８】
2008099582.tif 000010
【図９】
2008099582.tif 000011
【図１０】
2008099582.tif 000012
【図１１】
2008099582.tif 000013
【図１２】
2008099582.tif 000014